(57)【要約】【課題】被取付部材用レールの高さ位置をある程度の自由度をもって設定出来るようにする。【解決手段】所要枚の前面形状が矩形の第１壁パネル８と、長手方向を左右方向に向けた被取付部材用レール２２を有する、少なくとも１枚の前面形状が矩形の第２壁パネル９と、少なくとも１つの、嵌合突起２７を有する棚２５とを有し、前記被取付部材用レール２２に嵌合突起２７が嵌合する嵌合溝２３が形成されている。前記第２壁パネル９を所望位置に取り付けることにより、被取付部材用レール２２の高さ位置をある程度の自由度をもって設定出来る。【選択図】  図１
2004250870.tif 000002
【特許請求の範囲】
【請求項１】
所要枚の前面形状が矩形の第１壁パネルと、長手方向を左右方向に向けた被取付部材用レールを有する、少なくとも１枚の前面形状が矩形の第２壁パネルと、少なくとも１つの、嵌合突起を有する被取付部材とを有し、前記被取付部材用レールに嵌合突起が嵌合する嵌合溝が形成されている建材の組み合わせ。
【請求項２】
所要枚の前面形状が矩形の第１壁パネルと、長手方向を左右方向に向けた被取付部材用レールを有する、少なくとも１枚の前面形状が矩形の第２壁パネルと、少なくとも１つの、嵌合突起を有する被取付部材とを有し、前記被取付部材用レールに嵌合突起が嵌合する嵌合溝が形成され、前記第１壁パネル及び第２壁パネルが木質系素材で構成されると共に第１壁パネルの相互に隣接する２辺及び第２壁パネルの相互に隣接する２辺にさねが形成され、第１壁パネルの残りの２辺及び第２壁パネルの残りの２辺にさねが嵌まる嵌合凹所が形成され、前記嵌合凹所の後部縁に外方に張り出した張出部が連設され、前記さねの後方に張出部が嵌まり込む凹段部が形成された建材の組み合わせ。
【請求項３】
少なくとも２本の第１縁材と、少なくとも２本の第２縁材とが付加され、前記第１縁材の長手縁部に、第１壁パネル又は第２壁パネルのさねが嵌まる嵌合凹所及び第１壁パネル又は第２壁パネルの凹段部に嵌まる張出部が形成され、前記第２縁材の長手縁部に、第１壁パネル又は第２壁パネルの嵌合凹所に嵌まるさね及び第１壁パネル又は第２壁パネルの張出部が嵌まる凹段部が形成されている請求項２記載の建材の組み合わせ。
【発明の詳細な説明】
【０００１】
【発明の属する技術分野】
本発明は建材の組み合わせに関する。
【０００２】
【従来の技術】
従来、この種の建材の組み合わせとして以下の如きものは知られている。
左右方向に長い、所要枚の前面形状が矩形の壁パネルと、所要本の被取付部材用レールと、少なくとも１つの、嵌合突起を有する被取付部材（被取付部材とは、棚、フック、透明な小型の吊り収納庫等の壁に取り付けられる部材をいう。）とを有し、前記被取付部材用レールに嵌合突起が嵌合する嵌合溝が形成されているものは知られている。
【０００３】
【従来技術の施工方法】
前記従来建材の組み合わせの施工方法を以下に説明する。
建材の組み合わせを施工する部屋の側壁部分の左右長さに対応して、被取付部材用レール及び壁パネルを切断する。その後、壁パネルと壁パネルとの間に被取付部材用レールを目地材のように介在させて、側壁下地材に壁パネル及び被取付部材用レールを上下方向に並ぶようにして取り付ける。その後、所望の被取付部材用レールの嵌合溝に嵌合突起を嵌めて被取付部材を取り付ける。
【０００４】
【従来技術の欠点】
前記従来の建材の組み合わせには以下の如き欠点があった。
壁パネルと壁パネルとの間に被取付部材用レールを介在させるものであったため、被取付部材用レールの高さ位置が自動的に定まり、被取付部材用レールの高さ位置の自由度が全くないという欠点があった。また、壁パネルと壁パネルとの間に被取付部材用レールを介在させるものであったため、即ち、被取付部材用レールが施工面の左右方向全体に渡るものであったため、意匠的な観点から施工面の左右方向の一部にだけ被取付部材用レールを設けるというようなことが出来なかった。
【０００５】
【前記欠点を解消するための手段】
本発明は前記欠点を解消するために以下の如き手段を採用した。
▲１▼請求項１の発明は、所要枚の前面形状が矩形の第１壁パネルと、長手方向を左右方向に向けた被取付部材用レールを有する、少なくとも１枚の前面形状が矩形の第２壁パネルと、少なくとも１つの、嵌合突起を有する被取付部材とを有し、前記被取付部材用レールに嵌合突起が嵌合する嵌合溝が形成されているものである。
▲２▼請求項２の発明は、所要枚の前面形状が矩形の第１壁パネルと、長手方向を左右方向に向けた被取付部材用レールを有する、少なくとも１枚の前面形状が矩形の第２壁パネルと、少なくとも１つの、嵌合突起を有する被取付部材とを有し、前記被取付部材用レールに嵌合突起が嵌合する嵌合溝が形成され、前記第１壁パネル及び第２壁パネルが木質系素材で構成されると共に第１壁パネルの相互に隣接する２辺及び第２壁パネルの相互に隣接する２辺にさねが形成され、第１壁パネルの残りの２辺及び第２壁パネルの残りの２辺にさねが嵌まる嵌合凹所が形成され、前記嵌合凹所の後部縁に外方に張り出した張出部が連設され、前記さねの後方に張出部が嵌まり込む凹段部が形成されたものである。
▲３▼請求項３の発明は、少なくとも２本の第１縁材と、少なくとも２本の第２縁材とが付加され、前記第１縁材の長手縁部に、第１壁パネル又は第２壁パネルのさねが嵌まる嵌合凹所及び第１壁パネル又は第２壁パネルの凹段部に嵌まる張出部が形成され、前記第２縁材の長手縁部に、第１壁パネル又は第２壁パネルの嵌合凹所に嵌まるさね及び第１壁パネル又は第２壁パネルの張出部が嵌まる凹段部が形成されている請求項２記載のものである。
【０００６】
【発明の効果】
本発明は前記した如き構成によって以下の如き効果を奏する。
▲１▼請求項１の発明によれば、第２壁パネルを所望位置に取り付けることにより、被取付部材用レールの高さ位置をある程度の自由度をもって設定することが出来、また、施工面の左右方向の一部にだけ被取付部材用レールを設けるというようなことも簡単に出来る。また、被取付部材用レールが第２壁パネルに予め設けられているので、施工現場で被取付部材用レールを切断する必要もない。
▲２▼請求項２の発明によれば、張出部からくぎを側壁下地材に簡単に打ち込むことが出来るので、第１壁パネル及び第２壁パネルの取り付けが行ないやすい。
▲３▼請求項３の発明によれば、第１壁パネル及び第２壁パネルからなる壁パネルの群の周縁部を第１縁材及び第２縁材で簡単にきれいに処理できる。また、部屋の側壁を機能性が高く且つ意匠的観点からも優れたものとすることが出来る。
【０００７】
【発明の実施の形態】
以下に本発明の実施の形態を説明する。
なお、この説明において、前とは図１紙面表側を、後とは同裏側をいい、左とは図１左側を、右とは同図右側をいう。
【０００８】
図１〜図７には、部屋１の側壁下地材３に建材の組み合わせを施工した状態が示されている。
【０００９】
側壁下地材３に前面形状が矩形の第１壁パネル８及び前面形状が矩形の第２壁パネル９が所望の配置で（施主の希望に応じた配置で）取り付けられている。第１縁材１０が、第１壁パネル８及び第２壁パネル９の群からなる壁体１３の左側縁に当接するようにして側壁下地材３に取り付けられ、また、別の第１縁材１０が壁体１３の下縁に当接するようにして側壁下地材３に取り付けられている。更に、第２縁材１１が壁体１３の右側縁に当接するようにして側壁下地材３に取り付けられると共に別の第２縁材１１が壁体１３の上縁に当接するようにして側壁下地材３に取り付けられている。
【００１０】
第１壁パネル８は、中質繊維板（ＭＤＦ）等の木質系素材で構成されている。また、第１壁パネル８の前面の左右長さが「ｎ×Ｗ」で、上下長さが「ｍ×Ｈ」である。ここで、「Ｗ」・「Ｈ」は基準長さで、「ｎ」・「ｍ」は任意の整数である。本実施の形態では、「Ｗ」と「Ｈ」とは等しく、「ｎ」と「ｍ」とは等しく、「ｎ×Ｗ」は４３ｃｍ前後である。
【００１１】
前記第１壁パネル８の相互に隣接する２辺にさね１６が形成され、第１壁パネル８の残りの２辺にさね１６が嵌まる嵌合凹所１７が形成され、嵌合凹所１７の後部縁に外方に張り出した張出部１８が連設され、前記さね１６の後方に張出部１８が嵌まり込む凹段部１９が形成されている。第１壁パネル８は張出部１８からくぎ（図示略）を側壁下地材３に打ち込むことにより側壁下地材３に固定される。なお、後述の被取付部材用レール２２と衝突・干渉しないようにするため、被取付部材用レール２２に対向するさね１６の部分は、図示は省略しているが切除されている。
【００１２】
前記第２壁パネル９は以下の構成を除いて第１壁パネル８と同様の構成を有している。
第２壁パネル９には上下２本の長手方向を左右方向に向けた溝２１が形成され、これら溝２１に金属製押出型材等からなる被取付部材用レール２２が埋設固定されている。
【００１３】
前記被取付部材用レール２２には、前方に向かって下り傾斜の下方に凸となる湾曲の嵌合溝２３が形成されている。被取付部材用レール２２に取り付けられる棚２５（請求の範囲で云う被取付部材）の基部（後部）に連結具２６が取り付けられ、この連結具２６に、嵌合溝２３に嵌まる嵌合突起２７が設けられている。棚２５の前端を上にするようにして嵌合突起２７を嵌合溝２３に嵌めた後、図２の矢印Ａのように棚２５を水平とする。そうすると、嵌合突起２７は嵌合溝２３に完全に嵌まり、棚２５に自重による図２における反時計方向のモーメントが作用して、棚２５は被取付部材用レール２２に完全固定される。なお、棚２５は所望の被取付部材用レール２２に取り付けることが出来る。
【００１４】
図５及び図６に示すごとく、前記第１縁材１０の長手縁部に、第１壁パネル８又は第２壁パネル９のさね１６が嵌まる嵌合凹所２９及び第１壁パネル８又は第２壁パネル９の凹段部１９に嵌まる張出部３０が形成されている。
【００１５】
図４及び図７に示すごとく、前記第２縁材１１の長手縁部に、第１壁パネル８又は第２壁パネル９の嵌合凹所１７に嵌まるさね３２及び第１壁パネル８又は第２壁パネル９の張出部１８が嵌まる凹段部３３が形成されている。
【００１６】
【発明の実施の形態の施工方法】
次に発明の実施の形態の施工方法を説明する。
左側の第１縁材１０及び下側の第１縁材１０を側壁下地材３に取り付ける。
その後、第１壁パネル８及び第２壁パネル９を下の段から順次上の段に向けて側壁下地材３に取り付ける。
その後、右側の第２縁材１１及び上側の第２縁材１１を側壁下地材３に取り付ける。
【００１７】
【変形例等】
以下に変形例等について説明を加える。
（１）この明細書において、くぎにはねじも含まれる。
（２）棚２５の左右幅は任意である。また、棚２５を左右方向に並ぶ２つの第２壁パネル９に跨るようにして、それらの被取付部材用レール２２に取り付けることも出来る。なお、その際、邪魔な嵌合突起２７は切除する。
（３）図８及び図９に、被取付部材の変形例であるフック３５が示されている。フック３５は、本体３６と、嵌合突起２７とを有している。
（４）被取付部材用レール２２は第２壁パネル９に少なくとも１本あればよい。
（５）第１壁パネル８及び第２壁パネル９の素材は木質系素材に限定されない。
（６）第１縁材１０及び第２縁材１１の素材は木質系素材が一般的であるが、それに限定されない。
（７）第１壁パネル、第２壁パネル、第１縁材及び第２縁材に、さね、嵌合凹所、張出部及び凹段部を設けないこともある。
（８）被取付部材用レール２２としては、株式会社シモダイラ製のものが好適である。
（９）棚２５やフック３５等の被取付部材を被取付部材用レール２２に容易に着脱出来ると共に、嵌合突起２７の左右長さが被取付部材用レール２２の左右長さより短い場合は被取付部材を被取付部材用レール２２に沿ってスライド移動させることが出来るので、被取付部材のセッティングが行ないやすい。
【図面の簡単な説明】
【図１】本発明の実施の形態を示す簡略正面図である。
【図２】図１のＩＩ−ＩＩ線に沿う中間省略の拡大断面図である。
【図３】図１のＩＩＩ−ＩＩＩ線に沿う中間省略の拡大断面図である。
【図４】図１のＩＶ−ＩＶ線拡大断面図である。
【図５】図１のＶ−Ｖ線拡大断面図である。
【図６】図１のＶＩ−ＶＩ線拡大断面図である。
【図７】図１のＶＩＩ−ＶＩＩ線拡大断面図である。
【図８】変形例の要部断面図である。
【図９】図８のＩＸ−ＩＸ線に沿うフックのみを示す矢視図である。
【符号の説明】
８  第１壁パネル
９  第２壁パネル
１６  さね
１７  嵌合凹所
１８  張出部
１９  凹段部
２２  被取付部材用レール
２３  嵌合溝
２５  棚（被取付部材）
２７  嵌合突起
【図１】
2004250870.tif 000003
【図２】
2004250870.tif 000004
【図３】
2004250870.tif 000005
【図４】
2004250870.tif 000006
【図５】
2004250870.tif 000007
【図６】
2004250870.tif 000008
【図７】
2004250870.tif 000009
【図８】
2004250870.tif 000010
【図９】
2004250870.tif 000011